(57)【特許請求の範囲】
【請求項１】
遊技盤に配設される遊技部品の裏側を覆蓋保護する裏カバー部材を備える遊技機において、
前記裏カバー部材に回動可能に配設されて水平姿勢と垂直姿勢とに回動変化可能で、基板が装着される設置手段と、
前記設置手段に設けられる係止部と、
前記裏カバー部材に対して解除位置と保持位置に移動可能に配設された係止手段と、
前記係止手段に設けられ、前記係止部に対して係脱可能な第１被係止部および第２被係止部とを備え、
前記係止手段の解除位置では、前記両被係止部の何れもが前記係止部に係合することなく前記設置手段は回動可能な状態とされ、
前記設置手段の水平姿勢において前記係止手段を保持位置に移動したときには、前記第１被係止部が前記係止部に係合して、該設置手段を水平姿勢に位置決め保持すると共に、前記設置手段の垂直姿勢において前記係止手段を保持位置に移動したときには、前記第２被係止部が前記係止部に係合して、該設置手段を垂直姿勢に位置決め保持するよう構成した
ことを特徴とする遊技機における基板の設置手段位置決め構造。
【請求項２】
前記裏カバー部材に、前記設置手段の水平姿勢または垂直姿勢において該設置手段に当接して所定方向の回動を規制する規制片が設けられている請求項１記載の遊技機における基板の設置手段位置決め構造。
【発明の詳細な説明】
【０００１】
【発明の属する技術分野】
この発明は、遊技機における基板の設置手段位置決め構造に関し、更に詳細には、遊技媒体としてパチンコ球を使用するパチンコ遊技機において、遊技盤に配設される遊技部品の裏側を覆蓋保護する裏カバー部材に回動可能に設けた基板の設置手段を、水平姿勢または垂直姿勢に位置決め保持し得る基板の設置手段位置決め構造に関するものである。
【０００２】
【従来の技術】
パチンコ機やアレンジボール機に代表されるこの種のパチンコ遊技機の基本構成としては、外枠に組付けられた中枠に、上球皿ユニット、打球発射装置を配設した下球皿ユニット、球送り装置、各種の球処理部等を有する機構セット盤等の遊技構成部材が夫々設置されると共に、中枠の正面内部には、遊技盤が着脱交換可能にセットされる。この遊技盤には、図柄可変表示装置、電動式入賞装置、スイッチ付き入賞具、遊技表示具、ランプ類等の電気的遊技器具が所定位置に夫々セットされると共に、該遊技盤裏面には、図柄可変表示装置等の遊技部品の裏側を覆蓋保護する裏カバー部材が配設されている。
【０００３】
前記パチンコ遊技機では、機裏側のスペースの有効利用を図る目的で、前記裏カバー部材に、制御基板や電源基板等の基板を配設するための設置部を凹設し、この設置部に、基板が収容された基板ケースを着脱可能に配設する構成が提案されている。
【０００４】
【発明が解決しようとする課題】
前述した基板配設構造では、前記設置部が凹設されているから、この設置部に基板ケースを配設した際にも、その後方への突出量を小さく抑えることができる。しかるに、設置部を凹設した分だけ遊技部品を覆蓋保護し得るスペースは小さくなるため、遊技盤の交換に際し、前記遊技部品の大きさによっては、裏カバー部材に設けた設置部に該遊技部品が干渉する場合がある。これを解決するためには、裏カバー部材自体の設計を変更したり、あるいは他の位置に基板ケースの設置スペースを確保する必要があり、何れにしても設計変更により製造コストが上昇する問題を招いてしまう。また、遊技機裏側の限られたスペース内に、基板ケースの設置スペースを他に探すのは困難であり、更なる設計変更を余儀なくされるおそれもある。
【０００５】
これに対処する１つの提案が、本件出願人により発明「遊技機の基板配設構造」として提案された。この発明に係る基板配設構造は、裏カバー部材に回動可能に配設した設置手段に基板を装着するよう構成したものであって、該設置手段を水平姿勢と垂直姿勢とに回動変化することで、裏カバー部材における遊技部品を覆蓋保護するスペースの大きさを変化させることができる。すなわち、遊技部品の寸法が変わった場合は、前記設置手段を水平姿勢または垂直姿勢に変化させることで、裏カバー部材の設計変更を行なうことなく対応し得るものである。しかるに、設置手段を水平姿勢または垂直姿勢に位置決め保持する具体的な提案はなされていなかった。
【０００６】
【発明の目的】
本発明は、前述した従来の技術に内在している前記課題に鑑み、これを好適に解決するべく提案されたものであって、遊技盤に配設される遊技部品の種類等の変更に際して、裏カバー部材の設計変更を行なうことなく柔軟に対応し得ると共に、基板の設置手段を確実に位置決めし得る遊技機における基板の設置手段位置決め構造を提供することを目的とする。
【０００７】
【課題を解決するための手段】
前述した課題を克服し、所期の目的を好適に達成するため、本発明に係る遊技機における基板の設置手段位置決め構造は、
遊技盤(J)に配設される遊技部品(M,N1,N2)の裏側を覆蓋保護する裏カバー部材(26)を備える遊技機において、
前記裏カバー部材(26)に回動可能に配設されて水平姿勢と垂直姿勢とに回動変化可能で、基板(132)が装着される設置手段(36)と、
前記設置手段(36)に設けられる係止部(106)と、
前記裏カバー部材(26)に対して解除位置と保持位置に移動可能に配設された係止手段(38)と、
前記係止手段(38)に設けられ、前記係止部(106)に対して係脱可能な第１被係止部(85)および第２被係止部(84)とを備え、
前記係止手段(38)の解除位置では、前記両被係止部(85,84)の何れもが前記係止部(106)に係合することなく前記設置手段(36)は回動可能な状態とされ、
前記設置手段(36)の水平姿勢において前記係止手段(38)を保持位置に移動したときには、前記第１被係止部(85)が前記係止部(106)に係合して、該設置手段(36)を水平姿勢に位置決め保持すると共に、前記設置手段(36)の垂直姿勢において前記係止手段(38)を保持位置に移動したときには、前記第２被係止部(84)が前記係止部(106)に係合して、該設置手段(36)を垂直姿勢に位置決め保持するよう構成したことを特徴とする。
【０００８】
また、前記裏カバー部材(26)に、前記設置手段(36)の水平姿勢または垂直姿勢において該設置手段(36)に当接して所定方向の回動を規制する規制片(64)が設けられている。
【０００９】
【作用】
裏カバー部材に設けた設置手段を水平姿勢と垂直姿勢とに回動変化させることで、該カバー部材における遊技部品を覆蓋保護するスペースの大きさが変化する。すなわち、遊技部品の仕様変更により寸法が変わった場合には、前記設置手段の姿勢を変化させることで、該設置手段に遊技部品が干渉するのを防止することができ、裏カバー部材の設計変更を行なうことなく対応し得る。前記設置手段の水平姿勢において、裏カバー部材に配設した係止手段を解除位置から保持位置に移動することで、該係止手段の第１被係止部が設置手段の係止部に係合して、該設置手段は水平姿勢に位置決め保持される。また、設置手段の垂直姿勢において、係止手段を解除位置から保持位置に移動することで、該係止手段の第２被係止部が係止部に係合して、該設置手段は垂直姿勢に位置決め保持される。
【００１０】
【発明の実施の形態】
次に、本発明に係る遊技機における基板の設置手段位置決め構造につき、好適な実施例を挙げて、添付図面を参照しながら以下詳細に説明する。
【００１１】
(パチンコ遊技機の全体構成について)
先ず、本実施例のパチンコ遊技機(遊技機)に関する基本的な構成について、図１２または図１３を参照して説明する。このパチンコ遊技機Ｐは、例えば矩形枠体としての外枠Ａの開口前面側に対して、中枠Ｂが連結支持手段および施錠手段を利用して着脱および開放可能に組付けられている。そして中枠Ｂの前側部分には、ガラス板１６６を組付けた横開き式の前枠Ｃと上球皿Ｄが夫々着脱および開放可能に組付けられると共に、該上球皿Ｄの後側に電動式の球送り装置(図示せず)等がセットされている。また、前記中枠Ｂの下部に下球皿Ｅおよび打球発射装置Ｆ等が設置されると共に、該中枠Ｂの裏側に機構セット盤Ｇ等が装備され、更に該中枠Ｂの後側に設けた保持枠Ｈの前面内部に、所要の遊技領域Ｉを構成した遊技盤Ｊが着脱交換可能にセットされる。
【００１２】
前記遊技盤Ｊには、図１３および図１４に示すように、略円形状に湾曲形成したレールにより囲まれた遊技領域Ｉの前側において、その略中央部に遊技部品としての電動式入賞装置Ｍが配置される。この電動式入賞装置Ｍは、遊技盤Ｊの後方に大きく突出する大型部品であって、その内部に、前後動可能な可動部材１５４が配設された遊技室１５６が画成される。また電動式入賞装置Ｍにおける上部の左右両側には、入賞具を構成する開閉部材１５８,１５８が配設されており、この開閉部材１５８,１５８が、遊技盤Ｊの後方に配置された駆動機構部１６０(図２参照)の動作と連繋して開閉することで、前記遊技室１５６が開放または閉成されるようになっている。更に遊技室１５６の下方には、特定領域(所謂Ｖゾーン)１６２および一般領域１６４,１６４が夫々形成されており、遊技室１５６内に入った遊技球がこの特定領域１６２に通入することで、特別遊技状態が発生する。
【００１３】
なお、遊技盤Ｊにおける遊技領域Ｉの縦央下部には、第１始動入賞具(遊技部品)Ｎ１が配設されている。この第１始動入賞具Ｎ１は、その内部に配設されたスイッチ(図示せず)で遊技球の入賞を検出することにより、前記開閉部材１５８,１５８を２回開閉動させる。また第１始動入賞具Ｎ１の左右両側部には第２始動入賞具(遊技部品)Ｎ２が夫々配設されており、第１始動入賞具Ｎ１と同様に、その内部に配設された図示しないスイッチが遊技球の入賞を検出することにより、開閉部材１５８,１５８を１回開閉動させるようになっている。更に、電動式入賞装置Ｍに近接した所要位置には、風車とも称されて遊技球の流下方向を変更する案内車１１と、遊技状態に応じて照射パターンが変更制御される電飾装置１２等が配設される。
【００１４】
また前記機構セット盤Ｇは、前記中枠Ｂの後側に設けた保持枠Ｈに対してその裏側から着脱可能に装備され、図１２に示す如く、保持枠Ｈに対応し得る方形サイズに樹脂成形された本体１３の中央部に遊技盤裏面の点検用の窓口１４が開口され、遊技盤Ｊの裏面に着脱可能に配設された裏セット部材１５(図２参照)がこの窓口１４内に臨んでいる。裏セット部材１５には、遊技盤Ｊや電動式入賞装置Ｍに形成された各種入賞用部品(前記始動入賞具Ｎ１,Ｎ２、特定領域１６２または一般領域１６４等)に入賞した遊技球を裏側へ通出して排出案内するための通路(図示せず)が複数形成されている。なお、以後の説明における「左」あるいは「右」は、パチンコ遊技機Ｐを裏側から観察した状態(図１２の状態)において指称し、また図１２の奥側を「前」、手前側を「後」と指称するものとする。更に、後述する取付ベース体３６や電源装置３２の説明において、「前後」または「上下」とは、図１２に示す水平姿勢に保持された状態での関係で指称する。
【００１５】
前記機構セット盤Ｇにおける本体１３の裏側には、図１２に示す如く、その上方右隅部に、枠用の外部接続端子板１７が設置されると共に、前記窓口１４の下方には、前記打球発射装置Ｆを制御する発射制御基板１８を収容した発射制御装置１９と、前記遊技盤Ｊでのパチンコゲームに応じた効果音を発生制御する音声制御基板２０を収容した音声制御装置２１とが左右に離間して配置されている。また発射制御装置１９あるいは音声制御装置２１と一部が前後の関係で重なるようにして、パチンコ遊技機Ｐを全体的に制御する主制御基板２２を収容した主制御装置２３および賞球払出装置Ｌを制御する払出制御基板２４を収容した払出制御装置２５が左右に隣接する状態で本体１３に配置されている。
【００１６】
(裏カバー部材について)
前記遊技盤Ｊの裏側には、その後方に大きく突出する状態で配設される前記電動式入賞装置Ｍや第１および第２始動入賞具Ｎ１,Ｎ２の裏側を覆蓋保護する裏カバー部材２６が配設されている。この裏カバー部材２６は、図１に示す如く、合成樹脂を材質として矩形箱状に成形した第１カバー材２８と、その直下に配置される第２カバー材３０とから構成され、これらが裏セット部材１５あるいは機構セット盤Ｇに対して横開き式に回動し得るよう軸支されている。そして第２カバー材３０には、後述する電源装置３２を収容し得る寸法で設置スペース３４が形成されており、この設置スペース３４に対して、電源装置３２が取付ベース体３６を介して回動可能に配設されるよう構成してある。更に第２カバー材３０には、取付ベース体３６の移動を規制するための係止部材３８(後述)が配設されており、取付ベース体３６を回動させた後にこの係止部材３８を所定方向に移動させることによって、第２カバー材３０に対して取付ベース体３６を水平姿勢または垂直姿勢で位置決め保持し得るよう構成される。
【００１７】
(第１カバー材について)
前記裏カバー部材２６を構成する第１カバー材２８は、図２および図３に示すように、全体が略矩形の箱形状に成形されており、前記裏セット部材１５の裏面に対して大きな離隔空間の保護室２８ａが画成され、この保護室２８ａ内に前記電動式入賞装置Ｍの後方への突出部が収容保護されるようになっている。また第１カバー材２８の左側端部には、上下方向に離間して一対の支持片４２,４２が形成されている。この支持片４２,４２には上下に貫通する孔が穿設されており、裏セット部材１５の左側に形成された支持板の対応位置に設けられた上下の支軸(図示せず)に対して当該支持片４２,４２を挿通することにより、第１カバー材２８は、裏セット部材１５に対する上下方向への着脱と左右方向への回動(横開き)が可能な状態で連結支持される。また第１カバー材２８の裏面板部４０ａには、放熱用の複数の長孔４０ｂが形成されている。
【００１８】
前記第１カバー材２８は、その係脱手段として、右側のフランジ部４５に配置された出没式の係止具(ピン状の止め具)４６と、裏セット部材１５における右側の係止具４６に対応する位置に形成された係止筒部(図示せず)とを利用して、係脱可能に係止されるようになっている。但し、裏セット部材１５に対する当該第１カバー材２８の着脱構造に関しては、実施例の構成に限定されるものでなく、例えば裏セット部材１５または第１カバー材２８に配設した回動式止め具を相手側に係脱可能に係止し得る形式のものや、その他の各種構成が適宜に採用可能である。また着脱・開閉手段と係脱手段とは左右逆であってもよい。
【００１９】
前記第１カバー材２８の裏面板部４０ａにおける左側下端部には、図３に示す如く、被係合部４８が形成されると共に、これと対向する他端部(右側下端部)に係止用孔５０が前後に貫通するよう穿設されている。被係合部４８は、裏面板部４０ａから後方に向けて縦長矩形状に突設した矩形段部であって、右側を指向する側面に開口部４８ａが開設してある。また係止用孔５０には、図１５に示す前記主制御装置２３の右側端部における所定位置に設けた出没式の係止具５１が係脱可能に挿通係合されるようになっている。この主制御装置２３の左側端部における所定位置には、裏面部２３ａと面一で左方に延出する係合板片２３ｂが一体成形されており、この係合板片２３ｂは、被係合部４８の開口部４８ａに挿通し得る寸法に設定される。すなわち、主制御装置２３と前後に重なる例えば発射制御装置１９の点検や交換等に際して機構セット盤Ｇから取外した主制御装置２３を上下および表裏を反転させた姿勢で、前記開口部４８ａに右側から係合板片２３ｂを挿通した後、出没式の係止具５１を第１カバー材２８の係止用孔５０に挿通係止させることで、第１カバー材２８の裏面に主制御装置２３を装着し得るよう構成されている。なおこの構造自体は、主制御装置２３のみに関するものではなく、機構セット盤Ｇに配設されるその他の装置等に対しても、同様の構造を適用させることは可能である。
【００２０】
(第２カバー材について)
前記裏カバー部材２６を構成する第２カバー材３０は、図２および図３に示す如く、第１カバー材２８よりも横長の箱枠状に成形されたものであって、該第２カバー材３０によって、前記電動式入賞装置Ｍの後方への突出部や前記第１および第２始動入賞具Ｎ１,Ｎ２の後方への突出部を収容保護するよう構成される。そして、この第２カバー材３０の中央部に、前記電源装置３２を収容し得る寸法の設置スペース３４を画成している。この設置スペース３４は、第２カバー材３０の前後方向に連通した収納空間であって、上部枠部５２と左右両側枠部５３,５３および下部枠部５４とで画成される。このうち上部枠部５２は、第１カバー材２８の裏面板部４０ａと同じ位置まで後方に突出するよう成形され、その後面には左右方向の略全長に亘って金属製の補強板５２ａが配設されて補強されている。また左右両側枠部５３,５３は、上部枠部５２の左右端部と連接する部位から上下方向の略中央部に至る部位までが、第１カバー材２８の前後寸法の約１／２となるよう寸法設定されており、この取付面部５３ａ,５３ａに、各係止部材３８を上下方向に摺動可能に配設するための係合孔５６が夫々開設されている。この係合孔５６は、長方形状の開口部５６ａと、該開口部５６ａの上端縁から所要長さで上方に延在する上溝部５６ｂと、開口部５６ａの下端縁から下方に延在する下溝部５６ｃとで構成される。
【００２１】
なお前記開口部５６ａは、その左右の幅寸法および上下の長さ寸法が、係止部材３８の後述する係止体７０を構成する上被係止片８４の第１リブ８４ａ,８４ａが形成された左右の幅寸法、および該第１リブ８４ａの上下の長さ寸法よりも僅かに大きく設定され、左右両側枠部５３,５３の夫々に前側から係止体７０を装着する際に、第１リブ８４ａ,８４ａを開口部５６ａから後方に通過させ得るよう構成してある。また上溝部５６ｂの幅寸法は、係止体７０の上被係止片８４における左右の幅寸法よりも僅かに広くなるよう設定されると共に、下溝部５６ｃは、係止体７０に形成される棒状支持体８０(後述)の上下動を許容する幅寸法に設定されている。
【００２２】
前記左右両側枠部５３,５３における各取付面部５３ａの下方には、該取付面部５３ａより後方に突出する支持突部５８が夫々形成されると共に、各支持突部５８の内側面(他方の支持突部５８との対向面)には、後方に開放する所定幅の切欠６１が前後方向に所定長さで形成されている。また各支持突部５８には、各切欠６１と対向する外側に、後端から前方に向けて所定長さで延在する弾性変形可能な弾性片６０が形成されており、該弾性片６０は、内側から外側に向けて押圧することで弾性変形し得るよう構成される。前記切欠６１は、取付ベース体３６に配設される支持軸１００(後述)の挿通を許容する幅寸法に設定され、この切欠６１を介して支持突部５８に後側から挿通された支持軸１００を、該切欠６１の前端縁と前記弾性片６０とにより回動可能に支持するようになっている。また支持突部５８の上面には、図１に示す如く、前記取付面部５３ａとの連設部に矩形状の通孔６２が開設されており、係止部材３８の後述する係止突片７６がこの通孔６２に対して挿脱可能に構成される。更に、前記下部枠部５４には、設置スペース３４側に所定高さで立上がる規制片としての支持板片６４が一体的に形成され、この支持板片６４は、取付ベース体３６を回動させた際に所定位置でその回動を規制して、水平姿勢と垂直姿勢とに位置決めするべく機能する。
【００２３】
なお、前記第２カバー材３０の左側端部には、上下方向に離間して支持片６５,６５が形成されている。この支持片６５,６５には孔が上下に貫通するよう穿設されており、前記機構セット盤Ｇの左側に形成された支持板部材６６(図１および図１２参照)に上下に離間して設けた支軸６６ａ,６６ａに支持片６５,６５を挿通することにより、第２カバー材３０は、機構セット盤Ｇに対する上下方向への着脱と左右方向への回動(横開き)が可能な状態で連結支持されるようになっている。また第２カバー材３０は、その右側のフランジ部５５に配置された出没式の係止具(ピン状の止め具)５７と、裏セット部材１５における右側の対応する位置に形成された係止筒部(図示せず)とを利用して、係脱可能に係止されるよう構成してある。更に、前記フランジ部５５には、前側に延出する係止フック５５ａが形成され、該係止フック５５ａが前記機構セット盤Ｇの対応位置に設けられた被係止部(図示せず)に係脱可能に係合するようになっている。すなわち、前記遊技盤Ｊの交換に際して機構セット盤Ｇから裏セット部材１５が取外された際であっても、前記係止フック５５ａを機構セット盤Ｇの被係止部に係合することで、当該第２カバー材３０を定位置に保持させることができるよう構成してある。但し、裏セット部材１５に対する第２カバー材３０の係脱構造に関しては、前述した第１カバー材２８の場合と同様に、実施例の構成に限定されるものでなく、その他の各種構成が適宜に採用可能であり、また機構セット盤Ｇまたは裏セット部材１５に対する着脱・開閉手段と係脱手段とは左右逆に配置されていてもよい。
【００２４】
(係止部材)
前記第２カバー材３０における前記左右両側枠部５３,５３には、係止手段としての合成樹脂製の係止部材３８が夫々配設される。なお、左右の係止部材３８,３８の構成は対称であるので、右側枠部５３に配設される右側の係止部材３８の構成につき説明し、左側の係止部材３８の同一部材には同じ符号を付すのみとする。
【００２５】
前記係止部材３８は、図１および図５に示すように、右側枠部５３の前記取付面部５３ａを挟んで第２カバー材３０の後面側に位置する係合摘み体６８と、前面側に位置する係止体７０とから構成される。係合摘み体６８は、第２カバー材３０の取付面部５３ａに沿って摺動する略矩形状の垂直部７２と、該垂直部７２の上端部および下端部から後方に向けて平行に突出成形された上下一対の摘み片７４,７４と、下側の摘み片７４の底面から下方に所定長さで形成されたフック状の係止突片７６とから形成され、該係止突片７６が前記支持突部５８の通孔６２を介して支持突部５８に係脱可能に係合し得るようになっている。また下側の摘み片７４を上側の摘み片７４に近接するよう摘むことで、係止突片７６の支持突部５８に対する係合状態を解除し得るよう構成される。なお、前記垂直部７２の中央部には、小径の挿通孔７８が前後に貫通するよう穿設されている。
【００２６】
前記係止部材３８を構成する係止体７０は、図１および図５に示す如く、第２カバー材３０の取付面部５３ａに沿って上下方向に摺動する垂直基部８２と、該垂直基部８２における幅方向中央の上端部に一体成形された上被係止片(第２被係止部)８４および下端部に一体成形された下被係止片(第１被係止部)８５とから基本的に構成されている。前記上被係止片８４は、図５に示す如く、垂直基部８２から上方に延在した後に前方に折曲形成され、更にその前端が下方に折曲された下方に開放する略コ字状に形成されると共に、その左右幅寸法は前記係合孔５６における上溝部５６ｂを摺動可能な寸法に設定してある。また上被係止片８４における後側の垂直部の左右両側には、垂直基部８２から後方に前記取付面部５３ａの厚みより僅かに離間して上下方向に延在する第１リブ８４ａが夫々形成されると共に、水平部および前側の垂直部の左右両側には、前後方向に延在する第２リブ８４ｂが夫々形成されており、該第２リブ８４ｂの後端は、垂直基部８２の後面と略同一位置に臨んでいる。
【００２７】
そして、前記係止体７０は、上被係止片８４に設けた第１リブ８４ａ,８４ａを、前記係合孔５６の開口部５６ａに対して前側から挿通して後側に臨ませることで、該第１リブ８４ａ,８４ａと、第２リブ８４ｂ,８４ｂ、垂直基部８２とで取付面部５３ａを前後に挟んだ状態で上下に摺動可能に取付けられるようになっている。また垂直基部８２の上端部近傍には、後方に突出する棒状支持体８０が形成され、該棒状支持体８０の前記係合孔５６の下溝部５６ｃから後方に突出する端部に、前記係合摘み体６８が装着される。
【００２８】
前記棒状支持体８０は、図５に示す如く、円柱を軸方向に沿って２分割し、この２分割された各部材を僅かの間隙を設けた状態で配設したものであって、その開放端部には径方向に突出する膨出部８０ａが夫々形成されている。すなわち、前記係合摘み体６８の挿通孔７８に前側から挿通した棒状支持体８０の膨出部８０ａ,８０ａを後側に臨ませることで、係止体７０に対して係合摘み体６８は一体的に上下動可能に装着される。なお、前記垂直基部８２の裏面には、図５に示す如く、左右方向に延在する２つの突条８２ａ,８２ａが上下に離間して平行に突設されており、この突条８２ａ,８２ａは、前記取付面部５３ａと垂直基部８２との接触面積を小さくすることで、係止体７０のスムーズな上下動を行なわせるべく機能する。
【００２９】
前記下被係止片８５には、係止部材３８を取付面部５３ａに装着した際に、前記支持突部５８における上面の下方に臨む位置に、前記通孔６２に上端部が挿通される取付片８６が形成され、当該係止部材３８における下部側での前後動を規制し得るよう構成される。なお取付片８６は、前記係合摘み体６８の係止突片７６と干渉しない位置に設けられ、係止突片７６の通孔６２に対する挿脱を許容するよう設定される。また下被係止片８５における外側面(他方の係止部材３８から離間する側)には、水平な第１リブ８５ｂと垂直な第２リブ８５ｃとが一体成形され、両リブ８５ｂ,８５ｃは、係止体７０の剛性を向上させるべく機能する。更に、第２リブ８５ｃに関しては、前記第２カバー材３０における右側枠部５３の対向する側面に当接して左右方向の移動を規制する機能も有する。また前記下被係止片８５の前方下端部に、切欠８５ａが形成されている。
【００３０】
前述したように構成された係止部材３８は、前記上被係止片８４の上端が上溝部５６ｂの上端に当接した上方の解除位置(図１０(ｂ))と、前記係合摘み体６８における係止突片７６の下端が前記通孔６２に上方から挿通されて支持突部５８に係合する下方の保持位置(図１０(ａ),(ｃ))との間を上下動するよう構成される。そして、係止部材３８の解除位置においては、第２カバー材３０に配設された取付ベース体３６の回動による姿勢変化を許容し、該係止部材３８の保持位置においては、取付ベース体３６の係止片１０６(後述)が、前記下被係止片８４の切欠８５ａの下面に係合することで、該取付ベース体３６を水平姿勢に位置決め保持するか、あるいは取付ベース体３６の係止片１０６が、前記上被係止片８４の後側の垂直部(第２リブ８４ｂの垂直部)における後面に係合することで、該取付ベース体３６を垂直姿勢に位置決め保持し得るよう構成されている。
【００３１】
(取付ベース体について)
前記第２カバー材３０の前記設置スペース３４には、図１に示す如く、基板の設置手段としての取付ベース体３６が回動可能に配設される。この取付ベース体３６は金属板を折曲形成したものであって、図６に示すように、設置スペース３４の開口面と略同一寸法の横長矩形状に成形された設置面部８８と、該設置面部８８の左右両側端部に折曲形成された取付部としての右側壁部９６および左側壁部９８と、取付ベース体３６の水平姿勢において設置面部８８の両側壁部９６,９８の間に臨む前側の端縁部に立上がるよう折曲形成された遮蔽部としての前壁部９２とから基本的に構成される。なお、設置面部８８の後側の端縁部には、前壁部９２と対向する後壁部９４が折曲形成されている。
【００３２】
前記左右の両側壁部９６,９８の外側面には、図６に示すように、前記後壁部９４に近接する開放端側の角部近傍(水平姿勢とした状態で側壁部９６,９８の中央に対して後方側にずれた位置)に、外方に延出する短尺な軸体１０２と該軸体１０２の開放端に一体成形された大径部１０４とからなる支持軸１００が夫々配設されると共に、前壁部９２に近接する端縁下部に、前記係止部材３８における上下の係止片８４,８５に係合可能な係止部としての係止片１０６が、夫々外方に向けて略直角に折曲形成されている。そしてこの取付ベース体３６は、両支持軸１００,１００が、前記第２カバー材３０の左右の支持突部５８,５８に回動可能に支持され、前記前壁部９２が前側に位置する設置面部８８の水平姿勢と、該前壁部９２が上側に位置する設置面部８８の垂直姿勢とに姿勢変化可能に構成される。また、設置面部８８の水平姿勢(図１０(ａ))では、各係止片１０６が対応する係止部材３８の下被係止片８５に係合して位置決めされると共に、設置面部８８の垂直姿勢(図１０(ｃ))では、前記各係止片１０６が対応する係止部材３８の上被係止片８４に係合して位置決めされるようになっている。
【００３３】
なお、前記設置面部８８の水平姿勢では、図１０(ａ)に示す如く、該設置面部８８における支持軸１００より前方に位置する部位が第２カバー材３０における下部枠部５４に形成した前記支持板片６４の上端縁に当接して回動が規制され、また設置面部８８の垂直姿勢では、図１０(ｃ)に示す如く、該設置面部８８における支持軸１００より下方に位置する部位が支持板片６４の裏面に当接して回動が規制されるよう構成される。また解除位置の係止部材３８に対しては、前記係止片１０６が接触することなく取付ベース体３６が回動し得るよう設定されている。
【００３４】
図６に示す如く、前記設置面部８８の左右方向および前後方向に所定間隔離間した４箇所の部位には、後述する電源装置３２を係脱可能に支持固定する被係合片９０が、夫々上方に向けてＬ字状に立上がるよう折曲形成されている。なお、前後方向に離間配置された被係合片９０,９０は、設置面部８８から離間する端部で略平行に折曲された片部が相互に対向するよう形成されている。
【００３５】
また前記右側壁部９６には、内側(左側壁部９８を向く側)に突出する回動支軸１０８が、前記係止片１０６の上部位置に配設されており、該回動支軸１０８には、後述する基板ケース止部材１１２が回動可能に止着される。更に、右側壁部９６に近接する設置面部８８に、基板ケース止部材１１２の係止片１２２が係脱可能に係合する孔１１０が穿設されている。なお、金属製の取付ベース体３６を、合成樹脂製の第２カバー材３０に配設することで、該カバー材３０の剛性が高められるようになっている。
【００３６】
(電源装置について)
前記第２カバー材３０に配設された取付ベース体３６には、電源装置３２が着脱可能に配設される。この電源装置３２は、図８に示すように、合成樹脂製で方形皿状に形成された収容ケース体１２４に、着脱可能にカバー体１２６を組付けることで収容箱体１２８を構成し、該収容箱体１２８の内部に画成される収容室１３０に電源基板(基板)１３２を収容セットして構成される。
【００３７】
前記電源基板１３２が収容設置される収容ケース体１２４の底板部１２４ａには、その外面(取付ベース体３６の設置面部８８と対向する面)に、図９に示す如く、前記取付ベース体３６の前記被係合片９０に対応して係合片１３４が夫々形成されており、前後に対向する係合片１３４,１３４では、底板部１２４ａから離間する端部で略平行に折曲された片部が相反する向きとなるよう設定される。すなわち取付ベース体３６に対して収容ケース体１２４を、各被係合片９０の右側に対応する各係合片１３４を臨ませた状態で、該収容ケース体１２４を左方へスライドすることによって、被係合片９０に係合片１３４が上下の関係で係合して、取付ベース体３６に対して収容ケース体１２４の抜け止めがなされると共に、該取付ベース体３６の前記左側壁部９８に当接した状態で位置決め保持される。
【００３８】
また図８あるいは図９に示すように、前記収容ケース体１２４の左右の両側端部には、係合突起１３６が前後に離間して複数突設されると共に、該ケース体１２４の後端部には、同じく係合突起１３６が左右方向の略中央に突設されている。そして、これら複数の係合突起１３６を介して、該収容ケース体１２４に前記カバー体１２６が着脱可能に取付けられるよう構成してある。
【００３９】
前記カバー体１２６は、前記電源基板１３２を透視可能に覆蓋保護するものであって、透明な合成樹脂材により箱状に形成され、その平板面１２６ａおよびその前後方向の両端面１２６ｂ,１２６ｃには、放熱用の孔部１２６ｄが多数形成されている。また、カバー体１２６における下端部の後側および右側には段部１３８が形成され、該段部１３８に、前記電源基板１３２に設けられる各コネクタ受部１４０,１４１,１４２,１４３,１４４,１４５を外部に挿通するためのコネクタ用通孔１４６が対応的に設けられると共に、電源基板１３２に設けられる電源プラグ１４７や電源スイッチ１４８を外部に挿通するためのプラグ用通孔１４９およびスイッチ用通孔１５０も対応的に設けられている。
【００４０】
前記カバー体１２６における左右の側端部および後端部には、図８あるいは図９に示すように、係合孔１５１が、前記収容ケース体１２４の各係合突起１３６と対応する位置に形成されており、これら複数の係合孔１５１を収容ケース体１２４の対応する係合突起１３６に係合することで、該カバー体１２６が収容ケース体１２４に工具等を用いることなく着脱可能に取付けられるようになっている。またカバー体１２６の収容ケース体１２４を指向する内面側の周縁部に、収容ケース体１２４の底板部１２４ａに収容された電源基板１３２に当接する複数の位置決め片１５２(図９)が突設されており、収容ケース体１２４にカバー体１２６を取付けたときに、前記収容室１３０に収容される電源基板１３２を、底板部１２４ａと位置決め片１５２とにより上下から挟持することで位置決めセットするよう構成される。すなわち、収容ケース体１２４およびカバー体１２６に対し、電源基板１３２はネジ等の固定手段を用いることなく位置決めセットされるようになっている。
【００４１】
(基板ケース止部材について)
前記取付ベース体３６の右側壁部９６に設けた回動支軸１０８には、合成樹脂を材質として成形された基板ケース止部材１１２が配設される。この基板ケース止部材１１２は、取付ベース体３６に装着した電源装置３２が、該取付ベース体３６から離脱するのを防止するためのものであって、図７に示す如く、側面視において略Ｔ字状を呈するよう成形され、前後方向に延在する基部１１４の前端下部に、前後に離間する一対の片部１１６ａ,１１６ｂからなる挟持片１１６が形成されている。そして、この挟持片１１６を回動支軸１０８に係合することで、該基板ケース止部材１１２は右側壁部９６に対して回動可能に配設され、後述する規制位置と解放位置との間を回動し得るようになっている。
【００４２】
また、前記基部１１４の下側には、上方に開放するコ字状の規制部１１８が、その前側に設けた連設部１１７を介して連設されている。また規制部１１８の後側の上端に、Ｌ字状を呈する把持片１１９における水平部の前端が連設されると共に、該把持片１１９における垂直部の上端が基部１１４の後端に連設されている。この規制部１１８の底部における後端側には、フック状に形成された係止片１２２が一体に形成されており、基板ケース止部材１１２を前記回動支軸１０８を中心として規制部１１８の底面を前記設置面部８８に近接する方向に回動することで、係止片１２２が前記孔１１０に係合して該止部材１１２が規制位置に位置決め保持されるよう構成される。また、基部１１４と把持片１１９の水平部とを手指等で把持して該水平部を基部１１４に近接するよう弾性変形させることで、前記規制部１１８の係止片１２２が孔１１０との係合を解除する方向に変位し、これにより規制部１１８が設置面部８８から大きく離間する解放位置に基板ケース止部材１１２を回動させ得るようになっている。
【００４３】
前記基板ケース止部材１１２における規制部１１８の左右幅寸法は、前記取付ベース体３６に装着した電源装置３２の右端部と右側壁部９６との間に画成される空間の幅寸法と略同一に設定される。すなわち、電源装置３２を取付ベース体３６に装着した後、基板ケース止部材１１２を解放位置から規制位置に回動することで、前記空間に規制部１１８が挿入されて電源装置３２の右方への移動を規制し、これにより電源装置３２の取付ベース体３６に対する脱落を防止するよう構成される。
【００４４】
【実施例の作用】
次に、前述のように構成された本実施例に係るパチンコ遊技機における基板の設置手段位置決め構造の作用につき説明する。
【００４５】
本実施例のパチンコ遊技機Ｐの遊技盤Ｊに、例えば図１３に示すような第２種の大型の電動式入賞装置Ｍが配設される場合、該入賞装置Ｍの下方には小型の第１および第２始動入賞具Ｎ１,Ｎ２が配設されるため、前記裏カバー部材２６における上部側の第１カバー材２８による遊技部品の大きな覆蓋保護スペースを必要とするが、下部側の第２カバー材３０による遊技部品の大きな覆蓋保護スペースは必要としない。従って、この場合は第２カバー材３０には水平姿勢で電源装置３２を配設する。すなわち、前記第２カバー材３０に回動可能に軸支されている前記取付ベース体３６は、図１０(ａ)および図１１(ａ)に示す如く、前記前壁部９２が前側に臨むと共に前記設置面部８８が水平姿勢に保持される。このとき、保持位置に臨む前記各係止部材３８の下被係止片８５の切欠８５ａが、取付ベース体３６における各側壁部９６,９８に設けた係止片１０６に上方から係合して、該ベース体３６の前壁部９２を上方へ移動させる方向(図における反時計方向)の回動が規制される(図１０(ａ)および図１１(ａ)における係止片１０６の上面および後面の２面が、下被係止片８５に当接保持される状態)。またこの状態で、前記支持軸１００より前方に臨む設置面部８８の部位が、前記下部枠部５４に設けた支持板片６４の上端縁に上方から当接して図における時計方向への回動も規制され、これによって取付ベース体３６は水平姿勢で位置決め保持される。
【００４６】
前記水平姿勢の取付ベース体３６に対し、前記電源基板１３２を収容箱体１２８に収容配置した電源装置３２を配設する際には、前記基板ケース止部材１１２を解放位置に回動する。この状態で、取付ベース体３６の設置面部８８と収容箱体１２８の底板部１２４ａを対向すると共に、前記各被係合片９０の右側に対応する各係合片１３４を臨ませた状態で、該収容箱体１２８を左方へスライドすることによって、被係合片９０に係合片１３４が上下の関係で係合して、取付ベース体３６に対して電源装置３２の抜け止めがなされる。このとき、電源装置３２の左端部は、取付ベース体３６の前記左側壁部９８に当接した状態で位置決めされる。次に、前記基板ケース止部材１１２を解放位置から規制位置に回動することで、電源装置３２の右端部と取付ベース体３６の右側壁部９６との間に前記規制部１１８が挿入されて該電源装置３２の右方への移動は規制される。すなわち、前記被係合片９０に対して係合片１３４が離脱する方向に電源装置３２が移動することはなく、取付ベース体３６に対して電源装置３２は水平姿勢で位置決め保持される。なお、前記基板ケース止部材１１２の係止片１２２が設置面部８８の孔１１０に係合し、該止部材１１２は規制位置に保持される。
【００４７】
前記取付ベース体３６を水平姿勢とした状態では、その設置面部８８に装着された電源装置３２の前側には金属製の前壁部９２が臨んでおり、該前壁部９２により遊技盤Ｊに設けられる遊技部品と電源基板１３２とを遮蔽することで、ノイズの影響を抑制することができる。また、前記取付ベース体３６の側壁部９６,９８に対する支持軸１００,１００の配設位置を、水平姿勢において中央から後方側でかつ上方にずらしているから、該取付ベース体３６の水平姿勢における前記電源装置３２の後方への突出寸法を小さく抑えることができる。また水平姿勢における電源装置３２の上方への突出寸法も小さく抑えられ、前記第２カバー材３０における上部スペースを有効利用し得る(図１０(ａ)参照)。
【００４８】
次に、前記遊技盤Ｊの交換に伴って、例えば第１種の小型の図柄可変表示装置を盤中央に配設する場合では、該表示装置の下方には大型電動式の入賞装置が配設されるため、前記裏カバー部材２６における上部側の第１カバー材２８による遊技部品の大きな覆蓋保護スペースは必要としないが、第２カバー材３０による遊技部品の大きな覆蓋保護スペースが必要となる。従って、この場合は、前記取付ベース体３６を垂直姿勢としたもとで電源装置３２を垂直姿勢で配設することで、第２カバー材３０の前側に大きな覆蓋保護スペースを確保する。すなわち、前記各側枠部５３に配設されている係止部材３８の後方に突出している前記係合摘み体６８の摘み片７４,７４を手指等で把持して相互に近接することで、前記係止突片７６は、前記支持突部５８の通孔６２との係合状態が解除される方向に変位し、そのまま係止部材３８を前記係合孔５６に沿って解除位置まで上方に移動させる。これによって係止部材３８の下被係止片８５が、前記取付ベース体３６の係止片１０６から上方に離間し、該ベース体３６は、前記前壁部９２を上方に移動させる方向(図１０の反時計方向)への回動が可能な状態となる。従って、図１０(ｂ)に示す如く、前記支持軸１００,１００を中心として取付ベース体３６を反時計方向に回動し、前記設置面部８８における下端部を、前記下部枠部５４における支持板片６４の後面に当接させる。次いで、前記係止部材３８を保持位置まで下方に移動させることで、図１０(ｃ)に示す如く、前記上被係止片８４が取付ベース体３６の係止片１０６に上方から係合して、該ベース体３６の時計方向への回動が規制される(図１０(ｃ)および図１１(ｂ)における係止片１０６の上面および前後面の３面が、上被係止片８４に当接保持される状態)。これにより、取付ベース体３６は設置面部８８が垂直となる姿勢に位置決め保持され、これに配設された電源装置３２も垂直姿勢に保持される。なお、前記係止突片７６が通孔６２に係合して係止部材３８は保持位置に保持されるから、取付ベース体３６および電源装置３２は垂直姿勢に安定的に保持される。
【００４９】
このように電源装置３２が垂直姿勢に保持されることで、図１０(ｃ)に示す如く、前記取付ベース体３６は前記第２カバー材３０における取付面部５３ａから前方に大きく突出することはなく、該ベース体３６の前側にも大型電動式の入賞装置等の遊技部品の後部を収容保護することができる。すなわち、遊技盤Ｊに配設される電動式入賞装置Ｍや始動入賞具Ｎ１,Ｎ２等の遊技部品の仕様変更に際して遊技盤Ｊの裏側への突出する部分の寸法が変更された場合においては、裏カバー部材２６の設計変更を行なうことなく、第２カバー材３０に対して取付ベース体３６を回動して姿勢を変化することで対応でき、製造コストを低く抑えることができる。また、取付ベース体３６を垂直姿勢とした状態においても、金属製の設置面部８８により電源装置３２と、遊技盤Ｊに設けられる遊技部品とが遮蔽されるから、ノイズの影響を抑制することができる。
【００５０】
なお、前記取付ベース体３６から電源装置３２を取外す場合は、前記基板ケース止部材１１２の基部１１４と把持片１１９の水平部とを手指等で把持して該水平部を基部１１４に近接するよう弾性変形させることで、前記規制部１１８の係止片１２２が孔１１０との係合を解除する方向に変位し、この状態で基板ケース止部材１１２を解放位置に回動させる。しかる後、前記電源装置３２を右方にスライドさせることで、前記被係合片９０に対する係合片１３４の係合が解除され、該電源装置３２を取付ベース体３６から取外すことができる。
【００５１】
実施例では、取付ベース体に配設する基板として電源基板を例に挙げて説明したが、本願発明はこれに限定されるものでなく、対象となる基板は発射制御基板や音声制御基板等、その他の基板であってもよい。また実施例では、係止手段としての係止部材を第２カバー材の左右両側に夫々配設したが、左右の何れか一方に配設する構成を採用し得る。更に、裏カバー部材は、第１カバー材と第２カバー材とが分離可能な構成に限らず一体物であってもよい。なお、裏カバー部材で覆蓋保護する遊技部品としては、実施例のような電動式入賞装置や図柄可変表示装置等に限定されるものでなく、その他の部品でもよい。また、実施例では電動式入賞装置と始動入賞具、または図柄可変表示装置と大型電動式の入賞装置を裏カバー部材で覆蓋保護する場合で説明したが、例えば１つの遊技部品の上下寸法が変わるのに応じて、前記取付ベース体を水平姿勢としたり垂直姿勢とする構成を採用し得る。
【００５２】
【発明の効果】
以上説明した如く、本発明に係る遊技機における基板の設置手段位置決め構造によれば、遊技盤に配設される遊技部品の裏側を覆蓋保護する裏カバー部材に、基板の設置手段を回動可能に配設したから、遊技盤に配設される遊技部品の寸法変化に対しては、設置手段を水平姿勢や垂直姿勢に回動変位させることで対応し得る。すなわち、裏カバー部材の設計変更によるコストの上昇を抑えると共に、基板の設置スペースを探す煩雑な作業を必要としない。また、裏カバー部材に配設した係止手段を解除位置から保持位置に移動することで、設置手段を水平姿勢または垂直姿勢に確実に位置決め保持することができる。更に、裏カバー部材に配設した規制片により設置手段を水平姿勢または垂直姿勢に保持するよう構成したから、該設置手段をより確実に位置決め保持し得る。
【図面の簡単な説明】
【図１】本発明の好適な実施例に係るパチンコ遊技機における基板の設置手段位置決め構造を示す分解斜視図である。
【図２】実施例に係るパチンコ遊技機であって、裏セット部材および裏カバー部材を配設した遊技盤を示す側面図である。
【図３】実施例に係るパチンコ遊技機における裏カバー部材の第１カバー材および第２カバー材を示す背面図である。
【図４】実施例に係る裏カバー部材の第１カバー材および第２カバー材を示す右側面図および左側面図である。
【図５】実施例に係る基板の設置手段位置決め構造を構成する係止部材を示す斜視図である。
【図６】実施例に係る基板の設置手段位置決め構造を構成する取付ベース体を示す正面図、左右側面図および平面図である。
【図７】実施例に係る取付ベース体に配設される基板ケース止部材を示す側面図および底面図である。
【図８】実施例に係る取付ベース体に配設される電源装置を示す分解斜視図である。
【図９】実施例に係る取付ベース体に配設される電源装置における収容箱体を分解した状態を示す正面図である。
【図１０】実施例に係る基板の設置手段位置決め構造において、第２カバー材に配設した取付ベース体および電源装置を回動させる状態を示す動作図である。
【図１１】実施例に係る基板の設置手段位置決め構造において、第２カバー材に対して係止部材を介して取付ベース体を水平姿勢と垂直姿勢とに位置決め固定した状態を示す要部斜視図である。
【図１２】実施例に係るパチンコ遊技機の背面図である。
【図１３】実施例に係るパチンコ遊技機の正面図である。
【図１４】実施例に係るパチンコ遊技機の遊技盤を示す正面図である。
【図１５】実施例に係るパチンコ遊技機に配設される主制御装置を示す斜視図である。
【符号の説明】
２６  裏カバー部材
３６  取付ベース体(設置手段)
３８  係止部材(係止手段)
６４  支持板片(規制片)
８４  上被係止片(第２被係止部)
８５  下被係止片(第１被係止部)
１０６  係止片(係止部)
１３２  電源基板(基板)
Ｊ  遊技盤
Ｍ  電動式入賞装置(遊技部品)
Ｎ１  第１始動入賞具(遊技部品)
Ｎ２  第２始動入賞具(遊技部品)
【図１】
0004143806.tif 000002
【図２】
0004143806.tif 000003
【図３】
0004143806.tif 000004
【図４】
0004143806.tif 000005
【図５】
0004143806.tif 000006
【図６】
0004143806.tif 000007
【図７】
0004143806.tif 000008
【図８】
0004143806.tif 000009
【図９】
0004143806.tif 000010
【図１０】
0004143806.tif 000011
【図１１】
0004143806.tif 000012
【図１２】
0004143806.tif 000013
【図１３】
0004143806.tif 000014
【図１４】
0004143806.tif 000015
【図１５】
0004143806.tif 000016